(57)【要約】【課題】内装材への振動の伝達を抑制することができるエアシャワー装置及び玄関を提供することを目的とする。【解決手段】エアシャワー装置は、第１筐体と、第１筐体に取り付けられるパネルと、第１筐体に接続され且つ送風機を内蔵する第２筐体と、を備える。パネルは、吹出ノズルが配置される板状の第１底面部を備える。第２筐体は、送風機に対して住宅における内装材側となる位置に配置される板状の第２底面部を備える。第１底面部に対して直交する第１方向において、第２底面部は、第１底面部に対してずれている。【選択図】図６
2019112813.tif 000002
【特許請求の範囲】
【請求項１】
第１筐体と、
第１筐体に取り付けられるパネルと、
前記第１筐体に接続され且つ送風機を内蔵する第２筐体と、
を備え、
前記パネルは、吹出ノズルが配置される板状の第１底面部を備え、
前記第２筐体は、前記送風機に対して住宅における内装材側となる位置に配置される板状の第２底面部を備え、
前記第１底面部に対して直交する第１方向において、前記第２底面部は、前記第１底面部に対してずれている
エアシャワー装置。
【請求項２】
前記第１底面部から前記第２底面部までの前記第１方向における距離は、前記第１方向における前記内装材の厚さと前記内装材を支持する軽量鉄骨下地の厚さとの和よりも大きい
請求項１に記載のエアシャワー装置。
【請求項３】
前記第２筐体の内壁に取り付けられる吸音材を備える
請求項１又は２に記載のエアシャワー装置。
【請求項４】
前記第１筐体の内壁に取り付けられる吸音材を備える
請求項１から３のいずれか１項に記載のエアシャワー装置。
【請求項５】
前記第２筐体に取り付けられて前記送風機を支持する部材である送風機支持部材を備え、
前記送風機支持部材は、前記送風機に接する弾性体を備える
請求項１から４のいずれか１項に記載のエアシャワー装置。
【請求項６】
請求項１から５のいずれか１項に記載のエアシャワー装置を備える玄関。
【発明の詳細な説明】
【技術分野】
【０００１】
本発明は、エアシャワー装置及び玄関に関する。
【背景技術】
【０００２】
人間の体又は衣服等に付着した粒子を低減するためのエアシャワー装置が知られている。エアシャワー装置は、住宅の出入口に設けられることがある。例えば特許文献１には、住宅の出入口に設けられたエアシャワー装置の一例が記載されている。
【先行技術文献】
【特許文献】
【０００３】
【特許文献１】特開２０１４−１８１８５８号公報
【発明の概要】
【発明が解決しようとする課題】
【０００４】
ところで、住宅に設けられる装置に対しては稼働音の低減が求められる。このため、エアシャワー装置を住宅に設ける場合には、内装材に振動が伝達しにくいことが望ましい。
【０００５】
本発明は、上記の課題に鑑みてなされたものであって、内装材への振動の伝達を抑制することができるエアシャワー装置及び玄関を提供することを目的とする。
【課題を解決するための手段】
【０００６】
上述した課題を解決し、目的を達成するために、本開示の一態様は、第１筐体と、第１筐体に取り付けられるパネルと、前記第１筐体に接続され且つ送風機を内蔵する第２筐体と、を備え、前記パネルは、吹出ノズルが配置される板状の第１底面部を備え、前記第２筐体は、前記送風機に対して住宅における内装材側となる位置に配置される板状の第２底面部を備え、前記第１底面部に対して直交する第１方向において、前記第２底面部は、前記第１底面部に対してずれているエアシャワー装置である。
【０００７】
なお、本開示の上記のエアシャワー装置の態様において、前記第１底面部から前記第２底面部までの前記第１方向における距離は、前記第１方向における前記内装材の厚さと前記内装材を支持する軽量鉄骨下地の厚さとの和よりも大きいことが好ましい。
【０００８】
なお、本開示の上記のエアシャワー装置の態様において、前記第２筐体の内壁に取り付けられる吸音材を備えることが好ましい。
【０００９】
なお、本開示の上記のエアシャワー装置の態様において、前記第１筐体の内壁に取り付けられる吸音材を備えることが好ましい。
【００１０】
なお、本開示の上記のエアシャワー装置の態様において、前記第２筐体に取り付けられて前記送風機を支持する部材である送風機支持部材を備え、前記送風機支持部材は、前記送風機に接する弾性体を備えることが好ましい。
【００１１】
本開示の他の一態様は、上記のエアシャワー装置のいずれかが設置される玄関である。
【発明の効果】
【００１２】
本開示によれば、内装材への振動の伝達を抑制することができる。
【図面の簡単な説明】
【００１３】
【図１】図１は、実施形態のエアシャワー装置を設けた玄関の模式図である。
【図２】図２は、実施形態のエアシャワー装置を設けた玄関の平面図である。
【図３】図３は、実施形態のエアシャワー装置を設けた玄関の見上げ図である。
【図４】図４は、実施形態のエアシャワー装置の断面図である。
【図５】図５は、図４における第１筐体の拡大図である。
【図６】図６は、図４における第２筐体の拡大図である。
【図７】図７は、送風機支持部材の斜視図である。
【図８】図８は、補助支持部材の斜視図である。
【図９】図９は、図４における吹出ノズルの拡大図である。
【図１０】図１０は、図４における吹出ノズルの拡大図である。
【図１１】図１１は、送風機の取り外し方法を説明するための模式図である。
【図１２】図１２は、送風機の取り外し方法を説明するための模式図である。
【図１３】図１３は、送風機の取り外し方法を説明するための模式図である。
【図１４】図１４は、送風機の取り外し方法を説明するための模式図である。
【図１５】図１５は、送風機の取り外し方法を説明するための模式図である。
【図１６】図１６は、送風機の取り外し方法を説明するための模式図である。
【発明を実施するための形態】
【００１４】
以下、本発明につき図面を参照しつつ詳細に説明する。なお、本発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１５】
（実施形態）
図１は、実施形態のエアシャワー装置を設けた玄関の模式図である。図２は、実施形態のエアシャワー装置を設けた玄関の平面図である。図３は、実施形態のエアシャワー装置を設けた玄関の見上げ図である。
【００１６】
玄関８０は、住宅の出入口に配置される室である。例えば、本実施形態における玄関８０は、集合住宅の各戸の玄関である。図１及び図２に示すように、玄関８０は、天井側躯体８１と、床８２と、側壁８３と、側壁８４と、側壁８５と、天井内装材９３と、玄関扉８８と、エアシャワー装置１と、を備える。側壁８３及び側壁８４は、玄関８０と住宅のその他の室とを隔てる壁である。側壁８５は、玄関８０と住宅の外部とを隔てる壁である。天井内装材９３は、天井側躯体８１から吊り下げられた軽量鉄骨下地９１に支持されている。天井内装材９３と天井側躯体８１の間には、複数の軽量鉄骨下地９１が所定間隔で並べられている。天井内装材９３は、例えば石膏ボードである。玄関扉８８は、側壁８５に設けられる。玄関扉８８は、玄関８０と住宅の外部とを隔てる扉である。以下の説明において、側壁８３、側壁８４、側壁８５、天井内装材９３で囲まれる空間を室内と記載する。
【００１７】
エアシャワー装置１は、玄関８０に入った利用者に、空気を吹き付けて、利用者の頭髪、衣服、及び靴等に付着した粒子を低減する装置である。この粒子は、例えば、例えば、塵埃、花粉、黄砂、又はその他の大気汚染物質等である。
【００１８】
図１に示すように、エアシャワー装置１は、接続ダクト１８と、吸込ユニット１７と、ダクトホース１４と、送風ユニット１０と、吹出口ユニット４と、を備える。
【００１９】
図１に示すように、接続ダクト１８は、側壁８３の内部に配置される。接続ダクト１８は、鉛直方向に延びるダクトである。接続ダクト１８は、例えば、防食性が高く安価な溶融５５％アルミニウム−亜鉛合金めっき鋼板製であることが好ましい。例えば、接続ダクト１８は、側壁８３の内部に設けられる複数の軽量鉄骨下地の間に配置される。側壁８３の内部に設けられる複数の軽量鉄骨下地は、下地又はスタッドとも称され、Ｃ字形断面の軽量溝形鋼である。
【００２０】
図１に示すように、吸込ユニット１７は、側壁８３の下端部に配置される。吸込ユニット１７は、室内と接続ダクト１８とを繋ぐ。吸込ユニット１７は、室内の空気を吸い込み、接続ダクト１８に導く。吸込ユニット１７は、例えばプレフィルタを備えることが好ましい。プレフィルタは、いわゆる粗塵フィルタであり、吸込ユニット１７が吸い込んだ空気に含まれる粗塵を捕集する。例えば、プレフィルタは、側壁８３から取り外し可能である。プレフィルタは、掃除機又は水洗い等によって清掃される。
【００２１】
図１に示すように、ダクトホース１４は、天井内装材９３と天井側躯体８１との間に配置される。ダクトホース１４は、伸縮可能である。ダクトホース１４は、接続ダクト１８と送風ユニット１０とを接続し、接続ダクト１８の空気を送風ユニット１０に導く。
【００２２】
図１に示すように、送風ユニット１０は、防振ハンガー１０１によって天井側躯体８１から吊下げられる。防振ハンガー１０１は、送風ユニット１０に取り付けられる金具１０２に連結される。このため、送風ユニット１０と天井側躯体８１との間には間隙がある。
【００２３】
図１に示すように、送風ユニット１０は、送風機６１と、制御ユニット６２と、フィルタ３１と、を備える。送風機６１は、ダクトホース１４から供給された空気の圧力を増加させる。制御ユニット６２は、コンピュータ、ブレーカ及び電磁開閉器等を含み、送風機６１を制御する。送風機６１と制御ユニット６２とは、配線によって接続されている。制御ユニット６２から送風機６１に電力が供給される。制御ユニット６２のブレーカがオンになると、送風機６１が待機状態となる。待機状態で操作部８９が操作されると、送風機６１が駆動する。送風機６１によって加圧された空気は、フィルタ３１に導かれる。
【００２４】
フィルタ３１は、粒子を捕集するエアフィルタである。フィルタ３１としては、例えばＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）等の高性能エアフィルタが用いられる。ＨＥＰＡフィルタは、０．３μｍ以上の粒子に対して９９．９７％以上の粒子捕集率をもち、且つ初期圧力損失が２４５Ｐａ以下の性能を持つエアフィルタである。例えば、ＨＥＰＡフィルタの濾紙は主に直径１μｍ以上１０μｍ以下のガラス繊維でできている。フィルタ３１は、定期的に交換される。フィルタ３１の交換は、吹出口ユニット４を取り外すことで可能となる。フィルタ３１を通過した空気は、吹出口ユニット４を介して室内に噴射される。噴射速度は、例えば２５ｍ／ｓ程度である。
【００２５】
室内に入った利用者が図１に示す操作部８９を操作すると、制御ユニット６２が無線信号を受信し、送風機６１を駆動させる。これにより、吸込ユニット１７、接続ダクト１８、ダクトホース１４、送風ユニット１０、吸込ユニット１７、及び室内を循環する空気の流れが発生する。例えば、制御ユニット６２はタイマーを備える。制御ユニット６２のタイマーによって、送風機６１の駆動から所定時間経過後に送風機６１が停止する。所定時間は、例えば１秒以上６０秒以下程度である。所定時間は、例えば操作部８９を介して利用者が適宜設定可能である。所定時間は、制御ユニット６２において予め設定されてもよい。所定時間は、は、室内に浮遊する粒子を検知するセンサを含む装置と連携して制御されてもよい。
【００２６】
利用者の頭髪、衣服、及び靴等から離脱した粒子は、吸込ユニット１７に吸い込まれる。吸込ユニット１７に吸い込まれた空気中に含まれる粗塵はプレフィルタによって捕集される。粗塵を捕集された空気は、接続ダクト１８及びダクトホース１４を介して送風ユニット１０に供給される。送風ユニット１０に供給された空気は、フィルタ３１によって濾過された後、再び室内に噴射される。
【００２７】
図４は、実施形態のエアシャワー装置を設けた玄関の側面図である。図４は、実施形態のエアシャワー装置の断面図である。図５は、図４における第１筐体の拡大図である。図６は、図４における第２筐体の拡大図である。図７は、送風機支持部材の斜視図である。図８は、補助支持部材の斜視図である。図９は、図４における吹出ノズルの拡大図である。図１０は、図４における吹出ノズルの拡大図である。
【００２８】
図４に示すよう、送風ユニット１０は、第１筐体１１と、吸音材１１０と、フィルタ支持部材３５と、押え部材３３と、吹出口ユニット４と、仕切り部材３９と、ダクトホース１５と、第２筐体１２と、吸音材１２０と、送風機支持部材５１と、補助支持部材５３と、を備える。
【００２９】
第１筐体１１は、略直方体状の箱である。図４に示すように、上述した制御ユニット６２及びフィルタ３１は、第１筐体１１の内部に配置される。第１筐体１１は、天井部１１２と、第１開口部１１８と、第２開口部１１９と、ガスケット１１５と、を備える。天井部１１２は、天井側躯体８１に面する。第１開口部１１８は、天井部１１２に対向する位置に配置される。第２開口部１１９は、第２筐体１２に面する位置に配置される。第１開口部１１８及び第２開口部１１９は、送風機６１が通り抜けられる大きさを有する開口である。第２開口部１１９は、第１筐体１１と第２筐体１２とを繋ぐ。ガスケット１１５は、天井内装材９３に面する位置に配置される。ガスケット１１５は、第１筐体１１と天井内装材９３とに挟まれる。
【００３０】
吸音材１１０は、第１筐体１１の内壁に取り付けられる。吸音材１１０は、例えば第１筐体１１の上側の内壁に取り付けられるが、第１筐体１１のその他の内壁に取り付けられてもよい。吸音材１１０は、例えばグラスウール、ロックウール、又はウレタンフォーム等である。
【００３１】
フィルタ支持部材３５は、フィルタ３１を支持する。図５に示すように、フィルタ支持部材３５は、金具３５０と、スタッドボルト３５５と、ナット３５６と、ガスケット３５７と、を備える。金具３５０は、断面が略Ｌ字状の部材である。金具３５０は、取付部材３５１によって仕切り部材３９に取り付けられる。取付部材３５１は、例えばビスである。金具３５０は、取付部材３５１を取り外すことによって、第１筐体１１から離脱可能である。このため、フィルタ支持部材３５は、第１筐体１１に対して脱着できる。スタッドボルト３５５は、金具３５０から吹出口ユニット４側に延びている。スタッドボルト３５５の長さは、フィルタ３１の厚さよりも大きい。ナット３５６は、スタッドボルト３５５に取り付けられる。ナット３５６は、押え部材３３を支持し、押え部材３３をフィルタ３１に押し付ける。ガスケット３５７は、フィルタ３１に接し、金具３５０とフィルタ３１との間の間隙を密封する。
【００３２】
押え部材３３は、フィルタ３１に対して吹出口ユニット４側に位置する。押え部材３３は、例えば断面が矩形の中実部材である。押え部材３３は、フィルタ３１をフィルタ支持部材３５のガスケット３５７に押し付ける。これにより、フィルタ支持部材３５とフィルタ３１との間の間隙における空気の漏洩が抑制される。
【００３３】
図４に示すように、吹出口ユニット４は、第１筐体１１の第１開口部１１８を塞ぐように配置される。吹出口ユニット４は、押え部材３３に取り付けられる。吹出口ユニット４は、パネル４１と、吹出ノズル４５と、ブリッジ４７と、ガスケット４９と、を備える。パネル４１は、室内に面する板状の部材である。パネル４１は、金属で形成されている。例えば、本実施形態のパネル４１は鋼で形成されている。パネル４１は、底面部４１１と、側面部４１２と、を備える。底面部４１１は、吹出ノズル４５が配置される板状部材である。底面部４１１は、鉛直方向に対して直交している。底面部４１１に対して直交する方向において、底面部４１１の表面の位置は、天井内装材９３の表面の位置と略等しい。これにより、美観が向上する。以下の説明において、底面部４１１に対して直交する方向は、第１方向と記載される。側面部４１２は、底面部４１１の水平方向の端部から上側に延びる板状部材である。側面部４１２の端面は、ガスケット４９に接する。側面部４１２と天井内装材９３との間には間隙が設けられている。
【００３４】
吹出ノズル４５は、室内に空気を噴射する部材である。吹出ノズル４５は、底面部４１１に取り付けられる。図９に示すように、吹出ノズル４５は、本体部４５０と、スタッドボルト４５５と、ナット４５６と、を備える。本体部４５０は、例えば金属で形成される。例えば本実施形態の本体部４５０は、ステンレス鋼で形成されている。本体部４５０は、第１孔４５１を備える。第１孔４５１は、第１方向において押え部材３３に重なる。第１孔４５１は、取付部材４８が通過できる大きさを有する。第１孔４５１は、空気を噴射するための孔を兼ねていてもよい。又は、本体部４５０が、第１孔４５１の他に空気を噴射するための孔を備えていてもよい。スタッドボルト４５５は、本体部４５０から上側に延びている。スタッドボルト４５５は、底面部４１１を貫通する。ナット４５６は、スタッドボルト４５５に取り付けられる。スタッドボルト４５５及びナット４５６によって、本体部４５０が底面部４１１に固定される。
【００３５】
図９に示すように、ブリッジ４７は、底面部４１１の押え部材３３側の表面に取り付けられる。ブリッジ４７は、金属で形成されている。例えば、本実施形態のブリッジ４７は鋼で形成されている。ブリッジ４７は、溶接によって底面部４１１に固定されている。ブリッジ４７は、ビス等によって底面部４１１に固定されてもよい。ブリッジ４７は、図１０に示すように第２孔４７１を備える。第２孔４７１は、底面部４１１に対する直交方向において、第１孔４５１及び押え部材３３に重なる。図１０に示すように、押え部材３３は、雌ネジ３３１を備える。雌ネジ３３１は、底面部４１１に対する直交方向において、第１孔４５１及び第２孔４７１に重なる。雌ネジ３３１は、底を有する。
【００３６】
吹出口ユニット４が押え部材３３に取り付けられる時、図９に示すように、取付部材４８が第１孔４５１を介して吹出ノズル４５の内部に挿入される。取付部材４８は、例えばビスである。そして、取付部材４８は、第２孔４７１を貫通し雌ネジ３３１に取り付けられる。取付部材４８は、先端が雌ネジ３３１の底に接するまで締め付けられる。これにより、押え部材３３に対して吹出口ユニット４が位置決めされる。
【００３７】
図５に示すように、ガスケット４９は、側面部４１２と、第１筐体１１との間に配置される。例えば、側面部４１２の端面がガスケット４９に接する。図１０に示すように取付部材４８が雌ネジ３３１に締め付けられると、側面部４１２がガスケット４９に押し付けられ、ガスケット４９が変形する。これにより、パネル４１と第１筐体１１との間の間隙が密封される。
【００３８】
図５に示すように、仕切り部材３９は、第２開口部１１９を塞ぎ、第１筐体１１の内部と第２筐体１２の内部とを隔てる板状部材である。仕切り部材３９は、例えば第１筐体１１の内部側から取付部材３９１によって第１筐体１１又は第２筐体１２に固定される。取付部材３９１は、例えばビスである。仕切り部材３９は、孔３９０を備える。
【００３９】
図６に示すように、ダクトホース１５は、送風機６１で圧縮された空気を第１筐体１１に導く部材である。ダクトホース１５は、伸縮可能である。ダクトホース１５の一端が送風機６１に取り付けられる。ダクトホース１５の他端が孔３９０に重なるように仕切り部材３９に取り付けられる。送風機６１で圧縮された空気は、ダクトホース１５及び孔３９０を介して第１筐体１１の内部に供給される。送風機６１が稼働している時、第１筐体１１の内部の圧力は、例えば５００Ｐａ程度となる。
【００４０】
第２筐体１２は、略直方体状の箱である。図４に示すように、上述した送風機６１は、第２筐体１２の内部に配置される。図４に示すように、第２筐体１２は、天井部１２２と、底面部１２１と、を備える。天井部１２２は、天井側躯体８１に面する。底面部１２１は、底面部４１１と平行な板状部材である。底面部１２１は、第２筐体１２において、送風機６１に対して住宅における天井内装材９３側となる位置に配置される。すなわち、底面部１２１は、送風機６１の底面部４１１側を覆っている。玄関８０において、底面部１２１は、天井内装材９３に面する。第１方向において、底面部１２１は、底面部４１１に対してずれている。本実施形態においては図４に示すように、第１方向において、第１筐体１１の天井部１１２の位置は、第２筐体１２の天井部１２２の位置と同じである。また、第１方向において、天井部１１２から底面部４１１までの距離Ｌ１は、天井部１２２から底面部１２１までの距離Ｌ２よりも大きい。このため、底面部１２１が、底面部４１１に対して第１方向にずれている。
【００４１】
図６に示すように、底面部４１１から底面部１２１までの第１方向における距離Ｌ３は、第１方向における天井内装材９３の厚さＴ９３と天井内装材９３を支持する軽量鉄骨下地９１の厚さＴ９１との和よりも大きい。このため、底面部１２１と軽量鉄骨下地９１との間には、間隙９５がある。
【００４２】
吸音材１２０は、第２筐体１２の内壁に取り付けられる。吸音材１２０は、例えば第２筐体１２の下側の内壁に取り付けられるが、第２筐体１２のその他の内壁に取り付けられてもよい。吸音材１２０は、例えばグラスウール、ロックウール、又はウレタンフォーム等である。
【００４３】
図６に示すように、送風機支持部材５１は、送風機６１を支持する部材である。送風機支持部材５１は、第２筐体１２の内壁に取り付けられる。送風機支持部材５１は、金具５１１と、弾性体５１２と、送風機挿入部５１５と、を備える。図７に示すように、金具５１１は、取付部５１１ａと、連結部５１１ｂと、保持部５１１ｃと、を備える。金具５１１は、例えば１枚の金属板を折り曲げることで形成される。取付部５１１ａは、第２筐体１２の天井部１２２に沿う板状部材である。取付部５１１ａは、例えば溶接によって天井部１２２に固定されるが、ビス等で固定されてもよい。連結部５１１ｂは、取付部５１１ａから下側に向かって延びる板状部材である。連結部５１１ｂは、取付部５１１ａと保持部５１１ｃとを連結する。保持部５１１ｃは、第１筐体１１側に向かって開口する略Ｕ字状の板状部材である。弾性体５１２は、送風機６１に面する位置に配置され、送風機６１に接する。弾性体５１２は、保持部５１１ｃの内側に取り付けられる。弾性体５１２は、例えばゴム又は樹脂等で形成されている。弾性体５１２は、送風機６１の振動を低減する。送風機挿入部５１５は、第１筐体１１側に向かって開口する凹部である。本実施形態においては、送風機挿入部５１５は、弾性体５１２によって形成されている。送風機挿入部５１５には、第１筐体１１側から送風機６１を挿入可能である。
【００４４】
図６に示すように、補助支持部材５３は、送風機６１を支持する部材である。補助支持部材５３は、送風機支持部材５１に対して第１筐体１１側に配置される。補助支持部材５３は、作業者が第１筐体１１側から第２筐体１２に手を入れた場合に、手が届く位置に配置される。図８に示すように、補助支持部材５３は、金具５３１と、送風機取付部５３５と、を備える。金具５３１は、例えば折り曲げた１枚の金属板に他の金属板を溶接することで形成される。金具５３１は、孔５３３を備える。図６に示すように、金具５３１は、孔５３３を貫通する取付部材５３９によって第２筐体１２に取り付けられる。取付部材５３９は、例えばビスである。このため、補助支持部材５３は、第２筐体１２から脱着できる。送風機取付部５３５は、金具５３１で形成された開口である。図６に示すように、送風機取付部５３５が送風機６１の一部を貫通するように、補助支持部材５３が送風機６１に取り付けられる。
【００４５】
送風機６１を第２筐体１２の内部に配置する時、まず送風機６１が第１筐体１１の第１開口部１１８及び第２開口部１１９を介して第２筐体１２に入れられる。次に、送風機６１の端部が送風機支持部材５１の送風機挿入部５１５に挿入される。そして、補助支持部材５３が、送風機６１に嵌められた後、第２筐体１２に固定される。これにより、送風機６１が第２筐体１２に支持される。
【００４６】
図１１から図１６は、送風機の取り外し方法を説明するための模式図である。送風機６１のメンテナンスが必要になった時等には、送風機６１が第２筐体１２から取り外される。送風機６１を第２筐体１２から取り外す場合、まず、図１１に示すように、吹出口ユニット４が第１筐体１１から取り外される。取付部材４８を押え部材３３から取り外すことによって、吹出口ユニット４が第１筐体１１から離脱可能となる。
【００４７】
吹出口ユニット４が第１筐体１１から取り外された後、図１２に示すように、押え部材３３及びフィルタ３１が第１筐体１１から取り外される。ナット３５６をスタッドボルト３５５から取り外すことによって、押え部材３３及びフィルタ３１が第１筐体１１から離脱可能となる。
【００４８】
押え部材３３及びフィルタ３１が第１筐体１１から取り外された後、図１３に示すように、金具３５０が第１筐体１１から取り外される。取付部材３５１を金具３５０から取り外すことによって、金具３５０が第１筐体１１から離脱可能となる。
【００４９】
金具３５０が第１筐体１１から取り外された後、図１４に示すように、仕切り部材３９が第１筐体１１から取り外される。取付部材３９１を第１筐体１１から取り外すことによって、仕切り部材３９が第１筐体１１から離脱可能となる。
【００５０】
仕切り部材３９が第１筐体１１から取り外された後、図１５に示すように、補助支持部材５３が第２筐体１２から取り外される。取付部材５３９を第２筐体１２から取り外すことによって、補助支持部材５３が第２筐体１２から離脱可能となる。補助支持部材５３を送風機６１から取り外すために、図１５に示すようにダクトホース１５が縮められる。補助支持部材５３を送風機６１から第１筐体１１側に引き抜くことで、補助支持部材５３が取り出される。
【００５１】
補助支持部材５３が送風機６１から取り外された後、図１６に示すように、送風機６１が送風機支持部材５１から取り外される。送風機６１を第１筐体１１側に引っ張ることで、送風機６１が送風機支持部材５１の送風機挿入部５１５から外れる。そして、送風機６１は、第１筐体１１の内部に移動させられ、第１筐体１１の外部に取り出される。
【００５２】
なお、玄関８０は、例えば側壁８５に対向する側壁と、側壁８５に対向する側壁に設けられる内扉と、を備えていてもよい。内扉は、玄関８０と住宅のその他の室とを隔てる扉である。内扉は、利用者から離脱した粒子がその他の室に流入することを抑制することができる。また、玄関８０は、粒子がその他の室に流入することを抑制するためのカーテン等を備えていてもよい。
【００５３】
なお、送風機６１を支持する送風機支持部材５１及び補助支持部材５３は、必ずしも上述したような形状でなくてもよい。送風機支持部材５１は、第１筐体１１側から送風機６１を挿入可能な送風機挿入部５１５を少なくとも備えていればよい。補助支持部材５３は、例えば略Ｕ字状又は略Ｌ字状の金具等であってもよい。
【００５４】
エアシャワー装置１の各構成は、上述した位置とは異なる位置に配置されてもよい。例えば、送風ユニット１０は、天井側躯体８１と天井内装材９３との間ではなく、側壁（側壁８３又は側壁８４等）の内部に配置されてもよい。このような場合、第２筐体１２の底面部１２１は、側壁の内装材に面することになる。上述したように距離Ｌ３が厚さＴ９３と厚さＴ９１との和よりも大きいので（図６参照）、底面部１２１と側壁の内装材を支持する軽量鉄骨下地との間には間隙が生じる。
【００５５】
また、フィルタ３１は、必ずしも第１筐体１１に配置されなくてもよい。例えば、フィルタ３１は、第２筐体１２に配置されてもよいし、第２筐体１２よりも下流の位置に配置されてもよい。また、フィルタ３１は、なくてもよい。
【００５６】
以上で説明したように、エアシャワー装置１は、第１筐体１１と、吹出口ユニット４と、第２筐体１２と、送風機支持部材５１と、を備える。吹出口ユニット４は、第１筐体１１に対して脱着可能であり且つ吹出ノズル４５を有する。第２筐体１２は、第１筐体１１に接続され且つ送風機６１を内蔵する。送風機支持部材５１は、第２筐体１２に取り付けられて送風機６１を支持する部材であって、第１筐体１１側から送風機６１を挿入可能な開口である送風機挿入部５１５を有する。
【００５７】
これにより、吹出口ユニット４を第１筐体１１から取り外すことで、第１筐体１１が開口する。送風機挿入部５１５に挿入されて支持された送風機６１は、第１筐体１１側に引き抜くことが可能である。また、送風機６１は、第１筐体１１側から送風機挿入部５１５に嵌めることが可能である。したがって、エアシャワー装置１によれば、吹出口ユニット４が配置される開口から送風機６１を脱着することができる。
【００５８】
送風機支持部材５１は、送風機６１に接する弾性体５１２を備える。
【００５９】
これにより、送風機６１で生じる振動が第２筐体１２に伝達しにくくなる。このため、内装材に伝わる振動が抑制される。
【００６０】
エアシャワー装置１は、フィルタ３１と、フィルタ支持部材３５と、押え部材３３と、を備える。フィルタ３１は、第１筐体１１の内部に配置される。フィルタ支持部材３５は、第１筐体１１に対して脱着可能であり且つフィルタ３１を支持する。押え部材３３は、フィルタ支持部材３５に対して脱着可能であり且つフィルタ３１をフィルタ支持部材３５に押し付ける。
【００６１】
これにより、第１筐体１１の内部に配置されたフィルタ３１を、吹出口ユニット４が配置される開口から取り出すことが可能である。エアシャワー装置１によれば、フィルタ３１が第１筐体１１の内部に配置される場合であっても、吹出口ユニット４が配置される開口から送風機６１を脱着することができる。
【００６２】
エアシャワー装置１において、吹出口ユニット４は、吹出ノズル４５が取り付けられるパネル４１と、パネル４１に取り付けられ且つ吹出ノズル４５と押え部材３３との間に位置するブリッジ４７と、を備える。吹出ノズル４５は、押え部材３３に重なる位置に第１孔４５１を備える。ブリッジ４７は、第１孔４５１に重なる第２孔４７１を備える。
【００６３】
これにより、取付部材４８を第１孔４５１及び第２孔４７１を介して押え部材３３に取り付けることが可能である。押え部材３３に取り付けられた取付部材４８は、吹出ノズル４５によって隠れるので視認されにくい。このため、吹出口ユニット４の美観が向上する。
【００６４】
エアシャワー装置１において、吹出口ユニット４は、パネル４１と第１筐体１１との間に配置されるガスケット４９を備える。
【００６５】
これにより、第１筐体１１の内部の空気が、吹出口ユニット４と第１筐体１１との間の間隙から漏れにくくなる。
【００６６】
エアシャワー装置１において、パネル４１は、吹出ノズル４５が配置される板状の底面部４１１と、底面部４１１の端部から第１筐体１１に向かって延びる板状の側面部４１２と、を備える。側面部４１２の端面が、ガスケット４９に押し付けられる。
【００６７】
これにより、ガスケット４９が変形することで、ガスケット４９に生じる弾性力が大きくなり、吹出口ユニット４と第１筐体１１との間の間隙の密封性が高まる。このため、第１筐体１１の内部の空気が、吹出口ユニット４と第１筐体１１との間の間隙からより漏れにくくなる。
【００６８】
玄関８０は、上述したエアシャワー装置１を備える。玄関８０によれば、吹出口ユニット４が配置される開口から送風機６１を脱着することができる。すなわち、送風機６１のメンテナンスが容易となり、且つ玄関８０の美観が向上する。
【００６９】
また、エアシャワー装置１は、第１筐体１１と、第１筐体１１に取り付けられるパネル４１と、第１筐体１１に接続され且つ送風機６１を内蔵する第２筐体１２と、を備える。パネル４１は、吹出ノズル４５が配置される板状の第１底面部（底面部４１１）を備える。第２筐体１２は、送風機６１に対して住宅における内装材（例えば天井内装材９３）側となる位置に配置される板状の第２底面部（底面部１２１）を備える。第１底面部に対して直交する第１方向において、第２底面部は、第１底面部に対してずれている。
【００７０】
これにより、第２筐体１２と内装材との間に間隙が生じるので、送風機６１から第２筐体１２に伝わった振動が内装材に伝わりにくくなる。エアシャワー装置１によれば、内装材への振動の伝達を抑制することができる。
【００７１】
エアシャワー装置１において、第１底面部（底面部４１１）から第２底面部（底面部１２１）までの第１方向における距離Ｌ３は、第１方向における内装材（例えば天井内装材９３）の厚さＴ９３と内装材を支持する軽量鉄骨下地９１の厚さＴ９１との和よりも大きい。
【００７２】
これにより、第２底面部（底面部１２１）と内装材との間に軽量鉄骨下地９１を配置することが可能でなる。このため、内装材の施工が容易になる。また、第２底面部（底面部１２１）と軽量鉄骨下地９１との間に間隙９５が生じる。このため、エアシャワー装置１によれば、内装材への振動の伝達をより抑制することができる。
【００７３】
エアシャワー装置１は、第２筐体１２の内壁に取り付けられる吸音材１２０を備える。
【００７４】
これにより、送風機６１によって生じる騒音が第２筐体１２の外部に漏れにくくなる。したがって、エアシャワー装置１によって生じる騒音が低減される。
【００７５】
エアシャワー装置１は、第１筐体１１の内壁に取り付けられる吸音材１１０を備える。
【００７６】
これにより、送風機６１によって生じる騒音が第１筐体１１の外部に漏れにくくなる。したがって、エアシャワー装置１によって生じる騒音が低減される。
【００７７】
エアシャワー装置１は、第２筐体１２に取り付けられて送風機６１を支持する部材である送風機支持部材５１を備える。送風機支持部材５１は、送風機６１に接する弾性体５１２を備える。
【００７８】
これにより、送風機６１で生じる振動が第２筐体１２に伝達しにくくなる。このため、内装材に伝わる振動が抑制される。
【００７９】
玄関８０は、上述したエアシャワー装置１を備える。玄関８０によれば、内装材への振動の伝達を抑制することができる。
【符号の説明】
【００８０】
１  エアシャワー装置
１０  送風ユニット
１０１  防振ハンガー
１０２  金具
１１  第１筐体
１１０  吸音材
１１２  天井部
１１５  ガスケット
１１８  第１開口部
１１９  第２開口部
１２  第２筐体
１２０  吸音材
１２１  底面部（第２底面部）
１２２  天井部
１４、１５  ダクトホース
１７  吸込ユニット
１８  接続ダクト
３１  フィルタ
３３  押え部材
３３１  雌ネジ
３５  フィルタ支持部材
３５０  金具
３５１  取付部材
３５５  スタッドボルト
３５６  ナット
３５７  ガスケット
３９  仕切り部材
３９０  孔
３９１  取付部材
４  吹出口ユニット
４１  パネル
４１１  底面部（第１底面部）
４１２  側面部
４５  吹出ノズル
４５０  本体部
４５１  第１孔
４５５  スタッドボルト
４５６  ナット
４７  ブリッジ
４７１  第２孔
４８  取付部材
４９  ガスケット
５１  送風機支持部材
５１１  金具
５１１ａ  取付部
５１１ｂ  連結部
５１１ｃ  保持部
５１２  弾性体
５１５  送風機挿入部
５３  補助支持部材
５３１  金具
５３３  孔
５３５  送風機取付部
５３９  取付部材
６１  送風機
６２  制御ユニット
８０  玄関
８１  天井側躯体
８２  床
８３、８４、８５  側壁
８８  玄関扉
８９  操作部
９１  軽量鉄骨下地
９３  天井内装材（内装材）
９５  間隙
【図１】
2019112813.tif 000003
【図２】
2019112813.tif 000004
【図３】
2019112813.tif 000005
【図４】
2019112813.tif 000006
【図５】
2019112813.tif 000007
【図６】
2019112813.tif 000008
【図７】
2019112813.tif 000009
【図８】
2019112813.tif 000010
【図９】
2019112813.tif 000011
【図１０】
2019112813.tif 000012
【図１１】
2019112813.tif 000013
【図１２】
2019112813.tif 000014
【図１３】
2019112813.tif 000015
【図１４】
2019112813.tif 000016
【図１５】
2019112813.tif 000017
【図１６】
2019112813.tif 000018
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
第１筐体と、
第１筐体に取り付けられるパネルと、
前記第１筐体に接続され且つ送風機を内蔵する第２筐体と、
を備え、
前記パネルは、吹出ノズルが配置される板状の第１底面部を備え、
前記第２筐体は、前記送風機に対して住宅における内装材側となる位置に配置される板状の第２底面部を備え、
前記第１底面部に対して直交する第１方向において、前記第２底面部は、前記第１底面部に対してずれており、
前記第１底面部に対して直交する方向において、前記第１底面部の表面の位置は、前記内装材の表面の位置と等しい
エアシャワー装置。
【請求項２】
前記パネル及び前記吹出ノズルを備える吹出口ユニットと、
前記第１筐体の内部に配置されるフィルタと、
前記第１筐体に対して脱着可能であり且つ前記フィルタを支持するフィルタ支持部材と、
前記フィルタ支持部材に対して脱着可能であり且つ前記フィルタを前記フィルタ支持部材に押し付ける押え部材と、
を備え、
前記吹出口ユニットは、
前記パネルに取り付けられ且つ前記吹出ノズルと前記押え部材との間に位置するブリッジと、
前記パネルと前記第１筐体との間に配置される第１ガスケットと、
を備え、
前記吹出ノズルは、前記押え部材に重なる位置に第１孔を備え、
前記ブリッジは、前記第１孔に重なる第２孔を備え、
前記吹出口ユニットは、前記第２孔を貫通し前記押え部材に取り付けられる取付部材を備え、
前記押え部材と前記ブリッジとの間には間隙が設けれており、
前記パネルは、前記吹出ノズルが配置される板状の底面部と、前記底面部の端部から前記第１筐体に向かって延びる板状の側面部と、を備え、
前記側面部が、前記第１ガスケットに押し付けられる
請求項１に記載のエアシャワー装置。
【請求項３】
前記第１底面部から前記第２底面部までの前記第１方向における距離は、前記第１方向における前記内装材の厚さと前記内装材を支持する軽量鉄骨下地の厚さとの和よりも大きく、
前記第１筐体は、前記内装材に面する位置に配置される第２ガスケットを備え、
前記第２ガスケットは、前記第１筐体と前記内装材とに挟まれる
請求項１又は２に記載のエアシャワー装置。
【請求項４】
前記第２筐体の内壁に取り付けられる吸音材を備える
請求項１から３のいずれか１項に記載のエアシャワー装置。
【請求項５】
前記第１筐体の内壁に取り付けられる吸音材を備える
請求項１から４のいずれか１項に記載のエアシャワー装置。
【請求項６】
前記第２筐体に取り付けられて前記送風機を支持する部材である送風機支持部材を備え、
前記送風機支持部材は、前記送風機に接する弾性体を備える
請求項１から５のいずれか１項に記載のエアシャワー装置。
【請求項７】
請求項１から６のいずれか１項に記載のエアシャワー装置を備える玄関。
【請求項８】
集合住宅の各戸に設けられる請求項７に記載の玄関。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
第１筐体と、
第１筐体に取り付けられるパネルと、
前記第１筐体に接続され且つ送風機を内蔵する第２筐体と、
前記パネル及び吹出ノズルを備える吹出口ユニットと、
前記第１筐体の内部に配置されるフィルタと、
前記第１筐体に対して脱着可能であり且つ前記フィルタを支持するフィルタ支持部材と、
前記フィルタ支持部材に対して脱着可能であり且つ前記フィルタを前記フィルタ支持部材に押し付ける押え部材と、
を備え、
前記パネルは、前記吹出ノズルが配置される板状の第１底面部を備え、
前記第２筐体は、前記送風機に対して住宅における内装材側となる位置に配置される板状の第２底面部を備え、
前記第１底面部に対して直交する第１方向において、前記第２底面部は、前記第１底面部に対してずれており、
前記第１底面部に対して直交する方向において、前記第１底面部の表面の位置は、前記内装材の表面の位置と等しく、
前記吹出口ユニットは、
前記パネルに取り付けられ且つ前記吹出ノズルと前記押え部材との間に位置するブリッジと、
前記パネルと前記第１筐体との間に配置される第１ガスケットと、
を備え、
前記吹出ノズルは、前記押え部材に重なる位置に第１孔を備え、
前記ブリッジは、前記第１孔に重なる第２孔を備え、
前記吹出口ユニットは、前記第２孔を貫通し前記押え部材に取り付けられる取付部材を備え、
前記押え部材と前記ブリッジとの間には間隙が設けられており、
前記パネルは、前記吹出ノズルが配置される板状の底面部と、前記底面部の端部から前記第１筐体に向かって延びる板状の側面部と、を備え、
前記側面部が、前記第１ガスケットに押し付けられる
エアシャワー装置。
【請求項２】
前記第１底面部から前記第２底面部までの前記第１方向における距離は、前記第１方向における前記内装材の厚さと前記内装材を支持する軽量鉄骨下地の厚さとの和よりも大きく、
前記第１筐体は、前記内装材に面する位置に配置される第２ガスケットを備え、
前記第２ガスケットは、前記第１筐体と前記内装材とに挟まれる
請求項１に記載のエアシャワー装置。
【請求項３】
前記第２筐体の内壁に取り付けられる吸音材を備える
請求項１又は２に記載のエアシャワー装置。
【請求項４】
前記第１筐体の内壁に取り付けられる吸音材を備える
請求項１から３のいずれか１項に記載のエアシャワー装置。
【請求項５】
前記第２筐体に取り付けられて前記送風機を支持する部材である送風機支持部材を備え、
前記送風機支持部材は、前記送風機に接する弾性体を備える
請求項１から４のいずれか１項に記載のエアシャワー装置。
【請求項６】
請求項１から５のいずれか１項に記載のエアシャワー装置を備える玄関。
【請求項７】
集合住宅の各戸に設けられる請求項６に記載の玄関。